(57)【特許請求の範囲】
【請求項１】
天井に設けられた埋込孔に、ランプを収納する灯具本体の照射口を下向きにして設置される灯具ユニットと、
前記灯具ユニットと共に前記天井裏に配置され、電灯線からの電源により前記ランプを点灯制御する点灯装置を有する点灯装置ユニットとを備えた照明装置であって、
前記点灯装置ユニットは、前記灯具ユニットに折り曲げ自在な板バネ材により面接続され、
前記板バネ材は、一端側が前記灯具ユニットのフレームグランドに接続され、他端側が前記点灯装置ユニットのフレームグランドに接続されていることを特徴とする照明装置。
【請求項２】
前記ランプへ電源を供給し保持するソケットのグランドと、前記点灯装置ユニットのフレームグランドとを接続するリード線を設けたことを特徴とする請求項１記載の照明装置。
【発明の詳細な説明】
【技術分野】
【０００１】
本発明は、天井に埋め込み状態で設置されるダウンライト型の照明装置に関する。
【背景技術】
【０００２】
天井埋め込み型のダウンライトと呼ばれる照明装置は、天井に設けられた埋込孔から逆椀状の反射体の照射口を下向きにして設置される。このような照明装置として特許文献１に記載されたものがある。
【０００３】
この特許文献１に記載の天井用照明器具は、点灯装置が収納された金属ケースを固定する支持板の両側に設けられたアームが、支軸を介して灯具を被覆する角筒状のカバーに回動自在に取り付けられているので、天井に形成された埋込孔の径が小さく、屋根裏と天井との間の間隔が小さい場合でも、点灯装置と共に灯具を天井に容易に取り付けることができるものである。
【０００４】
【特許文献１】特開平５−２８８１９号公報
【発明の開示】
【発明が解決しようとする課題】
【０００５】
ところで、天井に埋め込まれる照明装置のランプとして、１２Ｖで点灯するハロゲンランプや、高電圧のイグニッション電圧で放電を開始させる必要のあるメタルハライドランプを採用することがある。このため点灯装置により、電灯線からの１００Ｖの電源電圧を１２Ｖに降圧したり、点灯開始時に高圧電圧を発生させたりしてランプを点灯させている。特に、メタルハライドランプを使用している場合、点灯時に高圧電圧を発生するため、利用者の安全を確保するために、照明装置の全てのフレームグランドを確実に大地に接地する必要がある。つまり、例えば接地極付電灯線のアース線を照明器具の全てのフレームグランドに接続する必要がある。また、照明装置から発生するノイズが他へ影響しないようにするためにも、全てフレームグランドを接地することは重要である。
【０００６】
しかし、特許文献１に記載の天井用照明器具では、設置の作業性を向上させるために、支持板と金属ケースとが支軸を介して回動自在に取り付けられているので、電気的には不安定な接触状態となってしまう。従って、灯具のフレームグランドを確実に支持板に接続することができない。
【０００７】
そこで本発明は、天井に形成された埋込孔の径が小さくても設置作業の容易性を維持しつつ、フレームグランドを確実に接地させることが可能な照明装置を提供することを目的とする。
【課題を解決するための手段】
【０００８】
本発明の照明装置は、天井に設けられた埋込孔に、ランプを収納する灯具本体の照射口を下向きにして設置される灯具ユニットと、前記灯具ユニットと共に前記天井裏に配置され、電灯線からの電源により前記ランプを点灯制御する点灯装置を有する点灯装置ユニットとを備えた照明装置であって、前記点灯装置ユニットは、前記灯具ユニットに折り曲げ自在な導電性部材で接続され、前記導電性部材は、一端側が前記灯具ユニットのフレームグランドに接続され、他端側が前記点灯装置ユニットのフレームグランドに接続されていることを特徴とする。
【０００９】
本発明の照明装置は、点灯装置ユニットは、灯具ユニットに折り曲げ自在な導電性部材で接続されているので、埋込孔へ点灯装置ユニットを挿入しつつ、灯具ユニットを埋込孔へ配置できるよう導電性部材を折り曲げた状態で点灯装置ユニットと灯具ユニットとの位置関係を調整しながら作業を行うことができる。また、この導電性部材は、一端側が灯具ユニットのフレームグランドに接続され、他端側が点灯装置ユニットのフレームグランドに接続されているので、電気的に安定した接続状態とすることができる。
【００１０】
前記導電性部材は、金属製の弾性部材であるのが望ましい。金属製の弾性部材であれば、点灯装置ユニットと灯具ユニットとの位置関係を、弾性部材を折り曲げることで調整しながら点灯装置ユニットを埋込孔に挿入し、灯具ユニットを埋込孔に配置することができる。そして本発明の照明装置を天井に配置した後は、点灯装置ユニットが天井裏面に位置することになるが、振動や地震などに対しても弾性部材が元の状態に復元するように作用するので、灯具ユニットと点灯装置ユニットとの位置関係を安定させた状態のまま維持することができる。
【００１１】
前記金属製の弾性部材は、板バネ材であるが望ましい。金属製の弾性部材を板バネ材とすることで、点灯装置ユニットのフレームグランドや灯具ユニットのフレームグラントに接続するときに、面接続することが可能である。また、板バネ材を面接続すると折れ曲がる方向が一方向となるため他の方向へは曲がり難い。従って、点灯装置ユニットを天井裏面に配置したときに更に安定した状態で維持させることが可能である。
【００１２】
前記ランプへ電源を供給し保持するソケットのグランドと、前記点灯装置ユニットのフレームグランドとを接続するリード線を設けることも可能である。例えば、ランプを保持するソケットが、フレームグランドから電気的に切り離されている状態では、フレームグランドの全てを確実に接地するためには、ソケットからリード線で直接ユニットのフレームグランドと接続するのが望ましい。
【発明の効果】
【００１３】
本発明の照明装置は、灯具ユニットと点灯装置ユニットとを折り曲げ自在な導電性部材で接続し、この導電性部材が、灯具のフレームグランドに一端側が接続し、点灯装置のフレームグランドに他端側が接続しているので、天井に形成された埋込孔の径が小さくても設置作業の容易性を維持しつつ、フレームグランドを確実に接地させることが可能である。よって、利用者の安全が確保でき、発生するノイズによる他への影響を防止することができる。
【発明を実施するための最良の形態】
【００１４】
本発明の実施の形態に係る照明装置の構成を図１および図２に基づいて説明する。図１は、本発明の実施の形態に係る照明装置を示す斜視図である。図２は、図１におけるＡ部拡大図である。図３は、図１に示す照明装置を天井に設置したときの状態を示す図である。
【００１５】
図１から図３に示すように、照明装置１０は、天井Ｔに埋め込み状態で設置されるダウンライトで、灯具ユニット１１と点灯装置ユニット１２とを備えている。灯具ユニット１１と点灯装置ユニット１２とは、板バネ材１３で接続されている。
【００１６】
灯具ユニット１１は、メタルハライドランプ１１１と、ソケット１１２と、灯具本体１１３と、取付金具１１４とを備えている。
【００１７】
メタルハライドランプ１１１は、高輝度放電灯(High Intensity Discharged Lamp)の一種であり、発光管内に水銀および各種のハロゲン化金属を封入し、発光管をアルゴンなどのガスが封入された外管内に収納したランプである。ソケット１１２は、灯具本体１１３に取り付けられ、メタルハライドランプ１１１を保持して、電源を供給している。このソケット１１２には、点灯装置ユニット側と接続する電源リード線１１５とグランドリード線１１６とが設けられている。電源リード線１１５はソケット１１２の電源端子（図示せず）に接続され、グランドリード線１１６はソケット１１２のグランド（図示せず）に接続されている。
【００１８】
灯具本体１１３は、逆椀状に形成された樹脂の成形品で、内側面にメッキ処理を施すことで反射面１１３ａが形成され反射体として機能するものである。取付金具１１４は、天井Ｔへ灯具本体１１３を固定するもので、灯具本体１１３下部周囲を覆うように略円筒形状に形成されたカバー部１１４ａと、カバー部１１４ａの周囲面に設けられた三方に延びる固定具１１４ｂとを備えている。固定具１１４ｂは、略Ｌ字状に形成され、一端側がカバー部１１４ａにネジ止めされている。この固定具１１４ｂは、灯具ユニット１１を天井Ｔの埋込孔Ｐに配置したときに屈曲した状態となる。そして固定具１１４ｂが広がろうとする応力によって埋込孔Ｐの内周面を押圧することで灯具ユニット１１が天井Ｔに固定される。カバー部１１４ａの下端には、灯具ユニット１１を埋込孔Ｐへ挿入するときに、灯具ユニット１１が埋込孔Ｐへ完全に入り込んで、天井Ｔ内にすっぽ抜けてしまわないために鍔部１１４ｃが形成されている。
【００１９】
灯具ユニット１１として本実施の形態では、灯具本体１１３が樹脂製であるため、取付金具１１４がフレームグランドとなるが、灯具本体を金属製とすれば灯具本体１１３および取付金具１１４を導通状態とすることができるので、灯具ユニット１１の金属部分全体をフレームグランドとすることができる。
【００２０】
点灯装置ユニット１２は、搭載金具１２１と、端子台１２２と、点灯装置１２３とを備え、灯具ユニット１１が埋込孔Ｐに設置されたときに、天井Ｔ内に配置されるものである。
【００２１】
搭載金具１２１は、断面が略コ字状に形成され、端子台１２２と点灯装置１２３とが搭載される。搭載金具１２１の端子台１２２側には、点灯装置ユニット１２が設置されたときに天井Ｔの裏面に当接して点灯装置ユニット１２を支持する支持部１２１ａが形成されている。
【００２２】
端子台１２２は、一端側に電灯線からの電源ライン１４がネジ止めされ、他端側に点灯装置１２３への電源リード線１２３ａがネジ止めされることで、それらを内部で導通接続するものである。照明装置１０は、設置するときの作業を簡略化するために、端子台１２２と電源リード線１２３ａとの接続が既に完了した状態で設置場所に搬入される。端子台１２２は、搭載金具１２１にネジ止めにより固定されている。
【００２３】
点灯装置１２３は、メタルハライドランプ１１１を点灯制御するものである。メタルハライドランプ１１１は、高輝度な光源として利用されるものであるが、放電灯であるため点灯開始時にイグニッション電圧として高電圧パルスを印加する必要がある。従って、まず照明装置１０を点灯するときには点灯装置１２３は高電圧パルスを出力する。この高電圧パルスにより、メタルハライドランプ１１１は、封入ガスの絶縁が破られ、グロー放電による電流が流れ始める。その後、電力を継続的に供給することで、メタルハライドランプ１１１内の電極が加熱されグロー放電からアーク放電へ移行して定常状態となり、安定した発光状態が継続する。つまり、点灯装置１２３は、数ｋＶの高電圧パルスを発生し、メタルハライドランプ１１１へ数Ａ程度の大きな突入電流を流した後に、低電圧で安定した電流を流せるように機能する電子回路で構成されている。
【００２４】
点灯装置ユニット１２の搭載金具１２１が金属で形成されているので、フレームグランドとして機能する。従って、ソケット１１２のグランドと接続するグランドリード線１１６と、点灯装置１２３のグランドリード線１２３ｂとが搭載金具１２１にネジ１２１ｂにより供締めされている。また、接地極付電灯線のアース線Ｅが、ネジ１２１ｃにより搭載金具１２１にネジ止めされている。
【００２５】
板バネ材１３は、一端側が灯具ユニット１１の取付金具１１４にネジ１１４ｄでネジ止めされ、他端側が点灯装置ユニット１２の搭載金具１２１にネジ１２１ｄでネジ止めされた導電性部材である。つまり、灯具ユニット１１のフレームグランドである取付金具１１４は、板バネ材１３を介して点灯装置ユニット１２のフレームグランドである搭載金具１２１へ導通接続することで、接地されているアース線Ｅに導通接続している。ネジ１１４ｄおよびネジ１２１ｄによる板バネ材１３の接続は、板バネ材１３に設けられた接続孔（図示せず）にネジ１１４ｄおよびネジ１２１ｄを挿通させてネジ１１４ｄおよびネジ１２１ｄで締め込むことで固定している。これにより、板バネ材１３が取付金具１１４と搭載金具１２１とに密着した状態でそれぞれ面接続しているので、板バネ材１３と取付金具１１４との接続部分および板バネ材１３と搭載金具１２１との接続部分を、低インピーダンスとすることができる。また、取付金具１１４に対して絶縁状態にあるソケット１１２のグランドは、グランドリード線１１６により搭載金具１２１に導通接続している。つまり、照明装置１０全体のフレームグランドが電気的に低インピーダンスで接続されていることになる。従って、メタルハライドランプ１１１を点灯させるために高電圧が必要な照明装置１０であっても、照明装置１０全体が、共通したフレームグランドで電気的に安定して接続しているので、利用者の安全を確保することができ、ノイズの発生による他への影響を防止することができる。なお、本実施の形態では、点灯装置１２３のグランドリード線１２３ｂと、ソケット１１２のグランドリード線１１６と、アース線Ｅとは、別々のネジで搭載金具１２１にネジ止めされているが、１ヵ所でそれぞれが接続可能であれば、それぞれのグランドをまとめて１本のネジで供締めすることも可能である。更に、まとめたグランドを、板バネ材１３を搭載金具１２１にネジ止めしているネジ１２１ｄに集約してもよい。
【００２６】
以上のように構成される本発明の実施の形態に係る照明装置１０の設置方法を図４に基づいて説明する。図４は、図１に示す照明装置の設置方法を示す図である。
【００２７】
まず、埋込孔Ｐから天井Ｔ内にある接地極付電灯線の電源ライン１４およびアース線Ｅを引き出し、電源ライン１４を端子台１２２に接続し、アース線Ｅを搭載金具１２１にネジ１２１ｃにより接続する。次に、電源ライン１４およびアース線Ｅを埋込孔Ｐへ戻しつつ、点灯装置ユニット１２がほぼ垂直となるように持ち上げて埋込孔Ｐを通す。次に、固定具１１４ｂを押さえ屈曲させた状態で灯具ユニット１１をソケット１１２側から埋込孔Ｐに挿入する。
【００２８】
このとき徐々に、灯具ユニット１１の周囲面と埋込孔Ｐとの隙間が狭くなるので、点灯装置ユニット１２を持つ手が不安定となる。点灯装置ユニット１２を持っていなければ自重により垂直状態から水平状態となるが、灯具ユニット１１と点灯装置ユニット１２とは板バネ材１３で接続されているので、板バネ材１３がよじれながら点灯装置ユニット１２が落下することはない。従って、点灯装置ユニット１２は、板バネ材１３を中心とした円弧を描くように回動するので、点灯装置ユニット１２が把持できなくても、点灯装置ユニット１２を指先で支える程度でも安定して支持することができる。従って、灯具ユニット１１と埋込孔Ｐとの隙間が狭くなっても点灯装置ユニット１２を指先で支え、垂直状態から水平状態へ静かに回動させながら、天井Ｔの裏面に載置することで、配置するときの点灯装置ユニット１２への衝撃を緩和させることができる。そして固定具１１４ｂから手を離すことで、固定具１１４ｂが埋込孔Ｐの内周面に向かって広がって灯具ユニット１１が埋込孔Ｐに固定される。
【００２９】
このように、埋込孔Ｐへ点灯装置ユニット１２を挿入しつつ、灯具ユニット１１を埋込孔Ｐへ配置できるよう板バネ材１３を折り曲げた状態で灯具ユニット１１と点灯装置ユニット１２との位置関係を調整しながら作業を行うことができるので、天井Ｔに形成された埋込孔Ｐの径が小さくても設置作業の容易性を維持することができる。
【００３０】
また、設置された照明装置１０は、例えば地震などで震動が加わっても、板バネ材１３が元の状態に復元するように作用するので、灯具ユニット１１と点灯装置ユニット１２との位置関係を安定させた状態で維持することができる。
【００３１】
以上、本発明の実施の形態について説明してきたが、本発明は前記実施の形態に限定されるものではない。例えば、本実施の形態では板バネ材１３を１本使用して灯具ユニット１１と点灯装置ユニット１２とを接続しているが複数本で接続してもよい。また、板バネ材１３の代わりに弦巻バネ材を用いてもよい。弦巻バネを採用するときには、複数本設けるとねじれに対して強度が増すので望ましい。また、照明装置を設置するときに点灯装置ユニット１２が灯具ユニット１１に対してねじれることが問題とならないようであれば、折り曲げ自在な導電性部材としてリード線を採用してもよい。また、金属製の螺旋管を採用してもよい。
【００３２】
更に、本実施の形態では光源としてメタルハライドランプ１１１を採用しているが、他の高圧放電灯としてもよい。また、ハロゲンランプを光源として採用することも可能である。ハロゲンランプを採用した照明装置では、ハロゲンランプを点灯させるために電灯線から降圧してハロゲンランプに供給する降圧点灯装置が必要である。この降圧点灯装置には、電力損失が少なく効率のよいスイッチング方式が用いられることが多い。しかし、スイッチング方式は、パルス変調により電力を制御しているため、高周波の放出ノイズのレベルが問題となる。この放出ノイズが周辺の電子機器へ悪影響を与えないようにするために、点灯装置１２３として降圧点灯装置を採用した場合においても、照明装置のフレームグランドを確実に接地することは重要である。従って、ハロゲンランプを採用しても灯具ユニット１１と点灯装置ユニット１２とを、板バネ材１３等の金属製の弾性部材で接続するのが望ましい。
【産業上の利用可能性】
【００３３】
本発明は、天井に形成された埋込孔の径が小さくても設置作業の容易性を維持しつつ、フレームグランドを確実に接地させることが可能なので、天井に埋め込み状態で設置されるダウンライト型の照明装置に好適である。特に、点灯装置を有することで、利用者の電気的な安全を確保することが重要な高圧放電灯を使用する照明装置に最適である。
【図面の簡単な説明】
【００３４】
【図１】本発明の実施の形態に係る照明装置を示す斜視図である。
【図２】図１におけるＡ部拡大図である。
【図３】図１に示す照明装置を天井に設置したときの状態を示す図である。
【図４】図１に示す照明装置の設置方法を示す図である。
【符号の説明】
【００３５】
１０  照明装置
１１  灯具ユニット
１１１  メタルハライドランプ
１１２  ソケット
１１３  灯具本体
１１３ａ  反射面
１１４  取付金具
１１４ａ  カバー部
１１４ｂ  固定具
１１４ｃ  鍔部
１１４ｄ  ネジ
１１５  電源リード線
１１６  グランドリード線
１２  点灯装置ユニット
１２１  搭載金具
１２１ａ  支持部
１２１ｂ，１２１ｃ，１２１ｄ  ネジ
１２２  端子台
１２３  点灯装置
１２３ａ  電源リード線
１２３ｂ  グランドリード線
１３  板バネ材
Ｅ  アース線
Ｔ  天井
Ｐ  埋込孔
１４  電源ライン
【図１】
0004716924.tif 000002
【図２】
0004716924.tif 000003
【図３】
0004716924.tif 000004
【図４】
0004716924.tif 000005